(57)【要約】【課題】操作パネル部を角度可変に保持でき、操作パネル部に設けられた表示部の視認性やボタンやカーソルキー等の操作性を向上できると共に、角度を変えるための機構を装置内部に設けることで操作性に優れ、コンパクト化が可能な通信端末装置を提供する。【解決手段】本発明は、ベース部２と、操作パネル部４と、１乃至複数の軸支部と、ベース側固定体９と、ベース側固定孔部１０と、パネル側固定体１１と、パネル側固定孔部１２と、挿通固定部材１３と、ベース側固定孔部１０及びパネル側固定孔部１２の内周壁に軸方向に沿って形成された１乃至複数の固定凹部又は固定凸部と、挿通固定部材１３の外周壁に軸方向に沿って１乃至複数形成され固定凹部又は固定凸部に嵌合する嵌合凸部又は嵌合凹部とを備えている。【選択図】図１
2005184478.tif 000002
【特許請求の範囲】
【請求項１】
ベース部と、
操作パネル部と、
前記操作パネルを前記ベース部に対して回動自在に軸支する１乃至複数の軸支部と、
前記ベース部に固定されたベース側固定体と、
前記ベース側固定体に前記軸支部の支軸と同軸に穿設されたベース側固定孔部と、
前記操作パネル部の下端部に固定されたパネル側固定体と、
前記パネル側固定体に前記軸支部の支軸と同軸に穿設されたパネル側固定孔部と、
前記ベース側固定孔部及び前記パネル側固定孔部に脱着自在に連挿される挿通固定部材と、
前記ベース側固定孔部及び前記パネル側固定孔部の内周壁に軸方向に沿って形成された１乃至複数の固定凹部又は固定凸部と、
前記挿通固定部材の外周壁に軸方向に沿って１乃至複数形成され前記固定凹部又は前記固定凸部に嵌合する嵌合凸部又は嵌合凹部と、
を備えたことを特徴とする通信端末装置。
【請求項２】
前記ベース側固定孔部と前記パネル側固定孔部が、その断面形状が同形状の多角形状、星形状、或いは歯車状に形成されていることを特徴とする請求項１に記載の通信端末装置。
【請求項３】
一端部が前記ベース部に固定されたバネ固定部に止着され他端部が前記挿通固定部材の挿入側先端部に止着された引っ張り用バネ部材或いは圧縮用バネ部材を備えたことを特徴とする請求項１又は２に記載の通信端末装置。
【請求項４】
ベース部と、
操作パネル部と、
前記操作パネルを前記ベース部に対して回動自在に軸支する１乃至複数の軸支部と、
前記ベース部に固定されたベース側軸固定体と、
前記ベース側軸固定体の側壁に前記軸支部の支軸と同軸に固定されたベース側固定軸部と、
前記ベース側固定軸部に同軸となるように穿設された軸孔部と、
前記操作パネル部の下端部の前記ベース側固定軸部に対応する位置に固定されたパネル側固定体と、
前記パネル側固定体に前記軸支部の支軸と同軸に穿設され前記ベース側固定軸部が挿通されたパネル側固定孔部と、
前記軸孔部に脱着自在に挿通される挿通固定部材と、
前記軸孔部の内周壁に軸方向に沿って形成された１乃至複数の軸孔固定凹部又は軸孔固定凸部と、
前記パネル側固定孔部の内周壁に軸方向に沿って形成された１乃至複数の挿入嵌合固定凹部と、
前記挿通固定部材の外周壁に軸方向に沿って１乃至複数形成され前記軸孔固定凹部又は前記軸孔固定凸部に嵌合する軸孔嵌合凸部又は軸孔嵌合凹部と、
前記挿通固定部材の後端部に固設されたピン固定部と、
前記ピン固定部に前記挿通固定部材の軸方向に向けて突設され前記挿入嵌合固定凹部に挿入され嵌合する挿入嵌合ピンと、
を備えたことを特徴とする通信端末装置。
【請求項５】
ベース部と、
操作パネル部と、
前記操作パネルを前記ベース部に対して回動自在に軸支する１乃至複数の軸支部と、
前記ベース部に固定されたベース側軸固定体と、
前記ベース側軸固定体の側壁に前記軸支部の支軸と同軸に固定されたベース側固定軸部と、
前記操作パネル部の下端部の前記ベース側固定軸部に対応する位置に固定されたパネル側固定体と、
前記パネル側固定体に前記軸支部の支軸と同軸に穿設され前記ベース側固定軸部が挿通されたパネル側固定孔部と、
前記ベース側固定軸部の外周壁と前記パネル側固定孔部の内周壁との間隙部に脱着自在に挿通される円筒状挿通固定部材と、
前記ベース側固定軸部の外周壁に軸方向に沿って形成された１乃至複数の軸側固定凹部又は軸側固定凸部と、
前記パネル側固定孔部の内周壁に軸方向に沿って形成された１乃至複数の孔側固定凹部又は孔側固定凸部と、
前記円筒状挿通固定部材の内周壁に軸方向に沿って１乃至複数形成され前記軸側固定凹部又は前記軸側固定凸部に嵌合する内周側嵌合凸部又は内周側嵌合凹部と、
前記円筒状挿通固定部材の外周壁に軸方向に沿って１乃至複数形成され前記孔側固定凹部又は前記孔側固定凸部に嵌合する外周側嵌合凸部又は外周側嵌合凹部と、
を備えたことを特徴とする通信端末装置。
【請求項６】
前記ベース側軸固定体の前記ベース側固定軸部の反対側の側壁から前記間隙部に連通するように穿設された押し出し摺動孔部と、
前記押し出し摺動孔部に摺動自在に挿通された押し出し部と、
前記押し出し部の端部に配設された押し出し用バネ部材と、
前記押し出し用バネ部材を介して前記押し出し部を前記挿通固定部材を押し出す方向へ摺動させる押し出しレバー部と、
を備えたことを特徴とする請求項５に記載の通信端末装置。
【請求項７】
ベース部と、
操作パネル部と、
前記操作パネルを前記ベース部に対して回動自在に軸支する１乃至複数の軸支部と、
前記ベース部に固定されたベース側軸固定体と、
前記ベース側軸固定体の側壁に前記軸支部の支軸と同軸に固定されたベース側固定軸部と、
前記操作パネル部の下端部の前記ベース側固定軸部に対応する位置に固定されたパネル側固定体と、
前記パネル側固定体に前記軸支部の支軸と同軸に穿設され前記ベース側固定軸部が挿通されたパネル側固定孔部と、
前記パネル側固定体の上部に上下方向に回動自在に配設された蓋部と、
前記ベース側固定軸部の外周壁に形成された１乃至複数の軸側固定凹部と、
前記パネル側固定体の上部の外周壁から前記パネル側固定孔部の内部に連通した挿通固定孔部と、
前記蓋部の下面に突設され前記蓋部の下方向への回動により前記挿通固定孔部に挿通されると共に前記軸側固定凹部に嵌入する嵌入突起部と、
を備えたことを特徴とする通信端末装置。
【請求項８】
ベース部と、
操作パネル部と、
前記操作パネルを前記ベース部に対して回動自在に軸支する１乃至複数の軸支部と、
前記ベース部に固定されたベース側軸固定体と、
前記ベース側固定体の側壁に立設され断面円弧状に形成され前記軸支部の支軸と同軸の円
筒状に配設された複数の締め付け部と、
前記操作パネル部の下端部の前記締め付け部に対応する位置に固定されたパネル側固定体と、
前記パネル側固定体に前記軸支部の支軸部と同軸に穿設され前記締め付け部が挿通されたパネル側固定孔部と、
前記パネル側固定孔部の内周壁に刻設された雌螺子部と、
前記雌螺子部に螺合する雄螺子部を有し前記パネル側固定孔部に脱着自在に螺着される螺着固定部材と、
前記螺着固定部材の螺着挿入方向先端部に形成され先端部に向かって縮径した縮径部と、を備えたことを特徴とする通信端末装置。
【請求項９】
ベース部と、
操作パネル部と、
前記操作パネルを前記ベース部に対して回動自在に軸支する１乃至複数の軸支部と、
前記ベース部に固定されたベース側固定体と、
前記ベース側固定体に前記軸支部の支軸の中心に対して偏心して穿設された１乃至複数のベース側偏心固定孔部と、
前記操作パネル部の下端部に固定されたパネル側固定体と、
前記パネル側固定体に前記軸支部の支軸の中心に対して偏心して穿設された１乃至複数のパネル側偏心固定孔部と、
少なくとも１の前記ベース側偏心固定孔部及び少なくとも１の前記パネル側偏心固定孔部に脱着自在に連挿される挿通固定部材と、
を備えたことを特徴とする通信端末装置。
【請求項１０】
前記操作パネル部を前記ベース部に対して起立する回動方向に付勢する回動用バネ部材を備えたことを特徴とする請求項１乃至９の内いずれか１項に記載の通信端末装置。
【発明の詳細な説明】
【技術分野】
【０００１】
本発明は、操作パネル部をベース部に対し１乃至複数の角度に可変し保持できる電話装置やファクシミリ装置等の通信端末装置に関する。
【背景技術】
【０００２】
近年、卓上、机上、又は台上等で使用され、画像や文字等を表示するための表示部や、事業所内のネットワーク網を通じて内線により呼び出し応答を行うための複数のボタンやカーソルキー、ペン等を画面に直接接触させることにより装置へ入力を行うタッチパネル等を備えた電話装置等の通信端末装置が用いられている。
【０００３】
このような通信端末装置として、表示部、ボタン、カーソルキー等が設けられた操作パネル部の角度を可変することができる機構を一体的に備えたものや、操作パネル部の角度の調節が可能なスタンド等により支持されたもの等がある。
【０００４】
操作パネル部の角度を可変することができる機構を一体的に備えたものとしては、特許文献１に「ベース部と、操作パネル部と、ベース部の上面に下端部が回動自在に軸支された棒状の支持部と、操作パネル部の下面に略垂直に固設された板状に形成され一側面にガイド溝が形成されたガイドプレートと、支持部の上端部に直交して配設されガイド溝に嵌入して摺動する摺動体と、を備えた通信端末装置」が開示されている。
【０００５】
特許文献１に開示の通信端末装置は、操作パネル部の下面に支持部の上端部が係止される複数の係止凹部を備え、摺動体を上側のガイド溝に沿って摺動させながら操作パネル部の角度を可変させ、所望の角度で支持部の上端部を係止凹部に係止することで角度を保持している。また、操作パネル部の角度が最大角度になった後、最小角度まで戻す場合は、摺動体を上側のガイド溝から下側のガイド溝に移動させ、下側のガイド溝に沿って摺動させながら最小角度まで傾倒させている。なお、このとき上側のガイド溝と下側のガイド溝との連結部のガイド溝上には突起部が形成されており、摺動体はこれを越えて下側のガイド溝へ移動するため逆戻りを防ぐことができる。
【特許文献１】特開２００３−２３４８１２号公報
【発明の開示】
【発明が解決しようとする課題】
【０００６】
しかしながら上記従来の技術では、以下のような課題を有していた。
（１）操作パネル部の下面側にガイドプレートや支持部等の部品を取り付けているため、デザイン上の制限が生じ、また、コンパクト化が困難であるという課題を有していた。
（２）摺動体を上側のガイド溝から下側のガイド溝側に移動させる際に、摺動体が突起部を超えるためには、ベース部を手で抑えながら操作パネル部を起立方向に回動させなければならないため両手を使用しなければならず操作性に欠けるという課題を有していた。
（３）操作パネル部の角度を最小角度まで戻す場合、摺動体が下側のガイド溝に沿って摺動し、操作パネル部は一操作で最小角度まで一気に傾倒するので、ベース部と操作パネル部との間に指を挟み易く、操作時には注意が必要であるという課題を有していた。
【０００７】
本発明は上記従来の課題を解決するもので、操作パネル部をベース部に対し１乃至複数の角度に可変し保持できるので、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供することを目的とする。
【課題を解決するための手段】
【０００８】
上記課題を解決するために、本発明の通信端末装置は、ベース部と、操作パネル部と、前記操作パネルを前記ベース部に対して回動自在に軸支する１乃至複数の軸支部と、前記ベース部に固定されたベース側固定体と、前記ベース側固定体に前記軸支部の支軸と同軸に穿設されたベース側固定孔部と、前記操作パネル部の下端部に固定されたパネル側固定体と、前記パネル側固定体に前記軸支部の支軸と同軸に穿設されたパネル側固定孔部と、前記ベース側固定孔部及び前記パネル側固定孔部に脱着自在に連挿される挿通固定部材と、前記ベース側固定孔部及び前記パネル側固定孔部の内周壁に軸方向に沿って形成された１乃至複数の固定凹部又は固定凸部と、前記挿通固定部材の外周壁に軸方向に沿って１乃至複数形成され前記固定凹部又は前記固定凸部に嵌合する嵌合凸部又は嵌合凹部と、を備えた構成を有している。
【０００９】
これにより、操作パネル部をベース部に対し１乃至複数の角度に可変し保持できるので、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供することができる。
【００１０】
上記課題を解決するために、本発明の通信端末装置は、ベース部と、操作パネル部と、前記操作パネルを前記ベース部に対して回動自在に軸支する１乃至複数の軸支部と、前記ベース部に固定されたベース側軸固定体と、前記ベース側軸固定体の側壁に前記軸支部の支軸と同軸に固定されたベース側固定軸部と、前記ベース側固定軸部に同軸となるように穿設された軸孔部と、前記操作パネル部の下端部の前記ベース側固定軸部に対応する位置に固定されたパネル側固定体と、前記パネル側固定体に前記軸支部の支軸と同軸に穿設され前記ベース側固定軸部が挿通されたパネル側固定孔部と、前記軸孔部に脱着自在に挿通される挿通固定部材と、前記軸孔部の内周壁に軸方向に沿って形成された１乃至複数の軸孔固定凹部又は軸孔固定凸部と、前記パネル側固定孔部の内周壁に軸方向に沿って形成された１乃至複数の挿入嵌合固定凹部と、前記挿通固定部材の外周壁に軸方向に沿って１乃至複数形成され前記軸孔固定凹部又は前記軸孔固定凸部に嵌合する軸孔嵌合凸部又は軸孔嵌合凹部と、前記挿通固定部材の後端部に固設されたピン固定部と、前記ピン固定部に前記挿通固定部材の軸方向に向けて突設され前記挿入嵌合固定凹部に挿入され嵌合する挿入嵌合ピンと、を備えた構成を有している。
【００１１】
これにより、操作パネル部をベース部に対し１乃至複数の角度に可変し保持できるので、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供することができる。
【００１２】
上記課題を解決するために、本発明の通信端末装置は、ベース部と、操作パネル部と、前記操作パネルを前記ベース部に対して回動自在に軸支する１乃至複数の軸支部と、前記ベース部に固定されたベース側軸固定体と、前記ベース側軸固定体の側壁に前記軸支部の支軸と同軸に固定されたベース側固定軸部と、前記操作パネル部の下端部の前記ベース側固定軸部に対応する位置に固定されたパネル側固定体と、前記パネル側固定体に前記軸支部の支軸と同軸に穿設され前記ベース側固定軸部が挿通されたパネル側固定孔部と、前記ベース側固定軸部の外周壁と前記パネル側固定孔部の内周壁との間隙部に脱着自在に挿通される円筒状挿通固定部材と、前記ベース側固定軸部の外周壁に軸方向に沿って形成された１乃至複数の軸側固定凹部又は軸側固定凸部と、前記パネル側固定孔部の内周壁に軸方向に沿って形成された１乃至複数の孔側固定凹部又は孔側固定凸部と、前記円筒状挿通固
定部材の内周壁に軸方向に沿って１乃至複数形成され前記軸側固定凹部又は前記軸側固定凸部に嵌合する内周側嵌合凸部又は内周側嵌合凹部と、前記円筒状挿通固定部材の外周壁に軸方向に沿って１乃至複数形成され前記孔側固定凹部又は前記孔側固定凸部に嵌合する外周側嵌合凸部又は外周側嵌合凹部と、を備えた構成を有している。
【００１３】
これにより、操作パネル部をベース部に対し１乃至複数の角度に可変し保持できるので、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供することができる。
【００１４】
上記課題を解決するために、本発明の通信端末装置は、ベース部と、操作パネル部と、前記操作パネルを前記ベース部に対して回動自在に軸支する１乃至複数の軸支部と、前記ベース部に固定されたベース側軸固定体と、前記ベース側軸固定体の側壁に前記軸支部の支軸と同軸に固定されたベース側固定軸部と、前記操作パネル部の下端部の前記ベース側固定軸部に対応する位置に固定されたパネル側固定体と、前記パネル側固定体に前記軸支部の支軸と同軸に穿設され前記ベース側固定軸部が挿通されたパネル側固定孔部と、前記パネル側固定体の上部に上下方向に回動自在に配設された蓋部と、前記ベース側固定軸部の外周壁に形成された１乃至複数の軸側固定凹部と、前記パネル側固定体の上部の外周壁から前記パネル側固定孔部の内部に連通した挿通固定孔部と、前記蓋部の下面に突設され前記蓋部の下方向への回動により前記挿通固定孔部に挿通されると共に前記軸側固定凹部に嵌入する嵌入突起部と、を備えた構成を有している。
【００１５】
これにより、操作パネル部をベース部に対し１乃至複数の角度に可変し保持できるので、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供することができる。
【００１６】
上記課題を解決するために、本発明の通信端末装置は、ベース部と、操作パネル部と、前記操作パネルを前記ベース部に対して回動自在に軸支する１乃至複数の軸支部と、前記ベース部に固定されたベース側軸固定体と、前記ベース側固定体の側壁に立設され断面円弧状に形成され前記軸支部の支軸と同軸の円筒状に配設された複数の締め付け部と、前記操作パネル部の下端部の前記締め付け部に対応する位置に固定されたパネル側固定体と、前記パネル側固定体に前記軸支部の支軸部と同軸に穿設され前記締め付け部が挿通されたパネル側固定孔部と、前記パネル側固定孔部の内周壁に刻設された雌螺子部と、前記雌螺子部に螺合する雄螺子部を有し前記パネル側固定孔部に脱着自在に螺着される螺着固定部材と、前記螺着固定部材の螺着挿入方向先端部に形成され先端部に向かって縮径した縮径部と、を備えた構成を有している。
【００１７】
これにより、操作パネル部をベース部に対し１乃至複数の角度に可変し保持できるので、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供することができる。
【発明の効果】
【００１８】
以上説明したように本発明の通信端末装置によれば、以下のような有利な効果が得られる。
【００１９】
請求項１に記載の発明によれば、
（１）挿通固定部材をパネル側固定孔部とベース側固定孔部とに連挿させ、嵌合凸部又は嵌合凹部を各々の固定凹部又は固定凸部に嵌合させることにより、操作パネル部をベース部に対し１乃至複数の角度に可変し保持できるので、操作パネル部に設けられた表示部の視認性やボタンやカーソルキー等の操作性を向上できる通信端末装置を提供することができる。
（２）操作パネル部を角度可変可能に保持するベース側固定孔部及びパネル側固定孔部が操作パネル部の回動軸である支軸と同軸に形成され、通信端末装置の内部に配設されているので、デザインの自由度が向上でき、また、装置のコンパクト化が可能である通信端末装置を提供することができる。
（３）挿通固定部材をベース側固定孔部及びパネル側固定孔部から抜き出すことで操作パネル部が回動自在になりその角度を可変でき、挿通固定部材をベース側固定孔部及びパネル側固定孔部に挿着するだけで操作パネル部を固定できるので、角度の可変する操作の操作性に優れる通信端末装置を提供することができる。
【００２０】
請求項２に記載の発明によれば、請求項１の効果に加え、
（１）ベース側固定孔部とパネル側固定孔部の断面形状が同形状の多角形状、星形状、歯車状に形成されているので、多角形等の各頂点の隅部に固定凹部が形成される通信端末装置を提供することができる。
【００２１】
請求項３に記載の発明によれば、請求項１又は２の効果に加え、
（１）引っ張り用バネ部材或いは圧縮用バネ部材を備えているので、挿通固定部材を引っ張り出す動作、押し込む動作の操作感に優れる通信端末装置を提供することができる。
（２）引っ張り用バネ部材を備えているので、挿通固定部材を引っ張りだした際に紛失することがなく使用性に優れる通信端末装置を提供することができる。
【００２２】
請求項４に記載の発明によれば、
（１）挿通固定部材を軸孔部に挿入し軸孔嵌合凸部又は軸孔嵌合凹部を軸孔固定凹部又は軸孔固定凸部に嵌合させると共に、挿入嵌合ピンを挿入嵌合固定凹部に挿入し嵌合させることにより、操作パネル部をベース部に対し１乃至複数の角度に可変し保持できるので、操作パネル部に設けられた表示部の視認性やボタンやカーソルキー等の操作性を向上できる通信端末装置を提供することができる。
（２）操作パネル部を角度可変可能に保持するためのベース側固定軸部、軸孔部及びパネル側固定孔部が、操作パネル部の回動軸である支軸と同軸に形成され、通信端末装置の内部に配設されているので、デザインの自由度が向上でき、また、装置のコンパクト化が可能である通信端末装置を提供することができる。
（３）挿入嵌合ピンを挿入嵌合固定凹部から抜き出すことで操作パネル部が回動自在になりその角度を可変でき、挿通固定部材を軸孔部に挿入すると共に挿入嵌合ピンを挿入嵌合固定凹部に挿入し嵌合させるだけで操作パネル部を固定できるので、角度の可変する操作の操作性に優れる通信端末装置を提供することができる。
【００２３】
請求項５に記載の発明によれば、
（１）円筒状挿通固定部材をベース側固定軸部の外周壁とパネル側固定孔部の内周壁との間隙部に挿入し、外周側嵌合凸部又は外周側嵌合凹部を孔側固定凹部又は孔側固定凸部に嵌合させ、内周側嵌合凸部又は内周側嵌合凹部を軸側固定凹部又は軸側固定凸部に嵌合させることにより、操作パネル部をベース部に対し１乃至複数の角度に可変し保持できるので、操作パネル部に設けられた表示部の視認性やボタンやカーソルキー等の操作性を向上できる通信端末装置を提供することができる。
（２）操作パネル部を角度可変可能に保持するベース側固定軸部及びパネル側固定孔部が操作パネル部の回動軸である支軸と同軸に形成され、通信端末装置の内部に配設されてい
るので、デザインの自由度が向上でき、また、装置のコンパクト化が可能である通信端末装置を提供することができる。
（３）円筒状挿通固定部材を間隙部から抜き出すことで操作パネル部が回動自在になりその角度を可変でき、間隙部に挿着するだけで操作パネル部を固定できるので、角度の可変する操作の操作性に優れる通信端末装置を提供することができる。
【００２４】
請求項６に記載の発明によれば、請求項５の効果に加え、
（１）押し出しレバー部の操作により円筒状挿通固定部材が所定長さ押し出されるので、円筒状挿通固定部材を間隙部から容易に抜き出すことができる通信端末装置を提供することができる。
（２）押し出し部は押し出し用バネ部材を介して押し出しレバー部に接続されているので、押し出しレバー部を操作する際の感触を軟らかくでき操作性に優れる通信端末装置を提供することができる。
【００２５】
請求項７に記載の発明によれば、
（１）蓋部を下方向に回動させ嵌入突起部を挿通固定孔部に挿通させると共に軸側固定凹部に嵌入させることにより、操作パネル部をベース部に対し１乃至複数の角度に可変し保持できるので、操作パネル部に設けられた表示部の視認性やボタンやカーソルキー等の操作性を向上できる通信端末装置を提供することができる。
（２）操作パネル部を角度可変可能に保持するベース側固定軸部が操作パネル部の回動軸である支軸と同軸に形成され、通信端末装置の内部に配設されているので、デザインの自由度が向上でき、また、装置のコンパクト化が可能である通信端末装置を提供することができる。
（３）蓋部を上方向に回動させ嵌入突起部を軸側固定凹部から抜き出すだけで操作パネル部が回動自在になりその角度を可変でき、蓋部を下方向に回動させ嵌入突起部を軸側固定凹部に嵌入させるだけで操作パネル部を固定できるので、角度の可変する操作の操作性に優れる通信端末装置を提供することができる。
【００２６】
請求項８に記載の発明によれば、
（１）螺着固定部材をパネル側固定孔部に螺着しながら挿入し、縮径部により締め付け部の先端部の外壁をパネル側固定孔部の内周壁に圧接させることにより、操作パネル部をベース部に対し１乃至複数の角度に可変し保持できるので、操作パネル部に設けられた表示部の視認性やボタンやカーソルキー等の操作性を向上できる通信端末装置を提供することができる。
（２）操作パネル部を角度可変可能に保持する締め付け部及びパネル側固定孔部が操作パネル部の回動軸である支軸と同軸に形成され、通信端末装置の内部に配設されているので、デザインの自由度が向上でき、また、装置のコンパクト化が可能である通信端末装置を提供することができる。
（３）螺着固定部材を回転させて弛めるだけで操作パネル部が回動自在になりその角度を可変でき、螺着固定部材を回動させ締めるだけで操作パネル部を固定できるので、角度の可変する操作の操作性に優れる通信端末装置を提供することができる。
【００２７】
請求項９に記載の発明によれば、
（１）挿通固定部材をベース側偏心固定孔部とパネル側偏心固定孔部に連挿することにより、操作パネル部をベース部に対し１乃至複数の角度に可変し保持できるので、操作パネル部に設けられた表示部の視認性やボタンやカーソルキー等の操作性を向上できる通信端末装置を提供することができる。
（２）操作パネル部を角度可変可能に保持するためのベース側固定体、パネル側固定体、ベース側偏心固定孔部及びパネル側偏心固定孔部が通信端末装置の内部に配設されているので、デザインの自由度が向上でき、また、装置のコンパクト化が可能である通信端末装
置を提供することができる。
（３）挿通固定部材をベース側偏心固定孔部とパネル側偏心固定孔部から抜き出すことで操作パネル部が回動自在になりその角度を可変でき、挿通固定部材をベース側偏心固定孔部とパネル側偏心固定孔部に連挿するだけで操作パネル部を固定できるので、角度の可変する操作の操作性に優れる通信端末装置を提供することができる。
（４）パネル側偏心固定孔部が通信端末装置の側部に形成されているので、挿通固定部材を挿入し易く操作性に優れる通信端末装置を提供することができる。
【００２８】
請求項１０に記載の発明によれば、請求項１乃至９の内いずれか１項の効果に加え、
（１）操作パネル部が回動用バネ部材により起立する回動方向に付勢されているので、挿通固定部材を外した場合に操作パネル部が急に倒れることがなく使用者が操作パネル部とベース部との間で指を挟むことがなく安全性に優れる通信端末装置を提供することができる。
【発明を実施するための最良の形態】
【００２９】
本発明は、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供するという目的を、挿通固定部材をパネル側固定孔部とベース側固定孔部とに連挿させ、嵌合凸部又は嵌合凹部を各々の固定凹部又は固定凸部に嵌合させることにより実現した。
【００３０】
本発明は、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供するという目的を、挿通固定部材を軸孔部に挿入し軸孔嵌合凸部又は軸孔嵌合凹部を軸孔固定凹部又は軸孔固定凸部に嵌合させると共に、挿入嵌合ピンを挿入嵌合固定凹部に挿入し嵌合させることにより実現した。
【００３１】
本発明は、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供するという目的を、円筒状挿通固定部材をベース側固定軸部の外周壁とパネル側固定孔部の内周壁との間隙部に挿入し、外周側嵌合凸部又は外周側嵌合凹部を孔側固定凹部又は孔側固定凸部に嵌合させ、内周側嵌合凸部又は内周側嵌合凹部を軸側固定凹部又は軸側固定凸部に嵌合させることにより実現した。
【００３２】
本発明は、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供するという目的を、蓋部を下方向に回動させ嵌入突起部を挿通固定孔部に挿通させると共に軸側固定凹部に嵌入させることにより実現した。
【００３３】
本発明は、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供するという目的を、螺着固定部材をパネル側固定孔部に螺着しながら挿入し、縮径部により締め付け部の先端部の外壁をパネル側固定孔部の内周壁に圧接させることにより実現した。
【００３４】
上記課題を解決するためになされた第１の発明は、通信端末装置であって、ベース部と、操作パネル部と、操作パネルをベース部に対して回動自在に軸支する１乃至複数の軸支部と、ベース部に固定されたベース側固定体と、ベース側固定体に軸支部の支軸と同軸に穿設されたベース側固定孔部と、操作パネル部の下端部に固定されたパネル側固定体と、パネル側固定体に軸支部の支軸と同軸に穿設されたパネル側固定孔部と、ベース側固定孔部及びパネル側固定孔部に脱着自在に連挿される挿通固定部材と、ベース側固定孔部及びパネル側固定孔部の内周壁に軸方向に沿って形成された１乃至複数の固定凹部又は固定凸部と、挿通固定部材の外周壁に軸方向に沿って１乃至複数形成され固定凹部又は固定凸部に嵌合する嵌合凸部又は嵌合凹部と、を備えた構成を有している。
【００３５】
この構成により、以下の作用を有する。
（１）挿通固定部材をパネル側固定孔部とベース側固定孔部とに連挿させ、嵌合凸部又は嵌合凹部を各々の固定凹部又は固定凸部に嵌合させることにより、操作パネル部をベース部に対し１乃至複数の角度に可変し保持できるので、操作パネル部に設けられた表示部の視認性やボタンやカーソルキー等の操作性を向上できる。
（２）操作パネル部を角度可変可能に保持するベース側固定孔部及びパネル側固定孔部が操作パネル部の回動軸である支軸と同軸に形成され、通信端末装置の内部に配設されているので、デザインの自由度が向上でき、また、装置のコンパクト化が可能である。
（３）挿通固定部材をベース側固定孔部及びパネル側固定孔部から抜き出すことで操作パネル部が回動自在になりその角度を可変でき、挿通固定部材をベース側固定孔部及びパネル側固定孔部に挿着するだけで操作パネル部を固定できるので、角度の可変する操作の操作性に優れる。
【００３６】
ここで、ベース側固定孔部とパネル側固定孔部の断面形状としては、多角形状、星形状、歯車状等が用いられる。挿通固定部材の断面形状としては、ベース側固定孔部及びパネル側固定孔部に嵌合する同形状が用いられる。
【００３７】
上記課題を解決するためになされた第２の発明は、第１の発明に記載の通信端末装置であって、ベース側固定孔部とパネル側固定孔部が、その断面形状が同形状の多角形状、星形状、或いは歯車状に形成された構成を有している。
【００３８】
この構成により、第１の発明の作用に加え、以下の作用を有する。
（１）ベース側固定孔部とパネル側固定孔部の断面形状が同形状の多角形状、星形状、或いは歯車状に形成されているので、多角形等の各頂点の隅部に固定凹部が形成される。
【００３９】
上記課題を解決するためになされた第３の発明は、第１又は第２の発明に記載の通信端末装置であって、一端部がベース部に固定されたバネ固定部に止着され他端部が挿通固定部材の挿入側先端部に止着された引っ張り用バネ部材或いは圧縮用バネ部材を備えた構成を有している。
【００４０】
この構成により、第１又は第２の発明の作用に加え、以下の作用を有する。
（１）挿通固定部材をベース側固定孔部やパネル側固定孔部から引っ張り出し、或いはベース側固定孔部やパネル側固定孔部に押し込むことにより、嵌合凸部又は嵌合凹部をベース側固定孔部及び／又はパネル側固定孔部の固定凹部又は固定凸部から外し、操作パネル部が回動自在になりその角度を可変できる。
（２）引っ張り用バネ部材或いは圧縮用バネ部材を備えているので、挿通固定部材を引っ張り出す動作、押し込む動作の操作感に優れる。
（３）引っ張り用バネ部材或いは圧縮用バネ部材を備えているので、挿通固定部材を引っ張りだした際等に紛失することがなく使用性に優れる。
【００４１】
ここで、挿通固定部材の外側の端部は操作パネル部の側部から突出しないようにパネル側固定孔部の内部に配設されることが好ましい。
【００４２】
上記課題を解決するためになされた第４の発明は、通信端末装置であって、ベース部と、操作パネル部と、操作パネルをベース部に対して回動自在に軸支する１乃至複数の軸支部と、ベース部に固定されたベース側軸固定体と、ベース側軸固定体の側壁に軸支部の支軸と同軸に固定されたベース側固定軸部と、ベース側固定軸部に同軸となるように穿設された軸孔部と、操作パネル部の下端部のベース側固定軸部に対応する位置に固定されたパネル側固定体と、パネル側固定体に軸支部の支軸と同軸に穿設されベース側固定軸部が挿通されたパネル側固定孔部と、軸孔部に脱着自在に挿通される挿通固定部材と、軸孔部の内周壁に軸方向に沿って形成された１乃至複数の軸孔固定凹部又は軸孔固定凸部と、パネル側固定孔部の内周壁に軸方向に沿って形成された１乃至複数の挿入嵌合固定凹部と、挿通固定部材の外周壁に軸方向に沿って１乃至複数形成され軸孔固定凹部又は軸孔固定凸部に嵌合する軸孔嵌合凸部又は軸孔嵌合凹部と、挿通固定部材の後端部に固設されたピン固定部と、ピン固定部に挿通固定部材の軸方向に向けて突設され挿入嵌合固定凹部に挿入され嵌合する挿入嵌合ピンと、を備えた構成を有している。
【００４３】
この構成により、以下の作用を有する。
（１）挿通固定部材を軸孔部に挿入し軸孔嵌合凸部又は軸孔嵌合凹部を軸孔固定凹部又は軸孔固定凹部に嵌合させると共に、挿入嵌合ピンを挿入嵌合固定凹部に挿入し嵌合させることにより、操作パネル部をベース部に対し１乃至複数の角度に可変し保持できるので、操作パネル部に設けられた表示部の視認性やボタンやカーソルキー等の操作性を向上できる。
（２）操作パネル部を角度可変可能に保持するためのベース側固定軸部、軸孔部及びパネル側固定孔部が、操作パネル部の回動軸である支軸と同軸に形成され、通信端末装置の内部に配設されているので、デザインの自由度が向上でき、また、装置のコンパクト化が可能である。
（３）挿入嵌合ピンを挿入嵌合固定凹部から抜き出すことで操作パネル部が回動自在になりその角度を可変でき、挿通固定部材を軸孔部に挿入すると共に挿入嵌合ピンを挿入嵌合固定凹部に挿入し嵌合させるだけで操作パネル部を固定できるので、角度の可変する操作の操作性に優れる。
【００４４】
上記課題を解決するためになされた第５の発明は、通信端末装置であって、ベース部と、操作パネル部と、操作パネルをベース部に対して回動自在に軸支する１乃至複数の軸支部と、ベース部に固定されたベース側軸固定体と、ベース側軸固定体の側壁に軸支部の支軸と同軸に固定されたベース側固定軸部と、操作パネル部の下端部のベース側固定軸部に対応する位置に固定されたパネル側固定体と、パネル側固定体に軸支部の支軸と同軸に穿設されベース側固定軸部が挿通されたパネル側固定孔部と、ベース側固定軸部の外周壁とパネル側固定孔部の内周壁との間隙部に脱着自在に挿通される円筒状挿通固定部材と、ベース側固定軸部の外周壁に軸方向に沿って形成された１乃至複数の軸側固定凹部又は軸側固定凸部と、パネル側固定孔部の内周壁に軸方向に沿って形成された１乃至複数の孔側固定凹部又は孔側固定凸部と、円筒状挿通固定部材の内周壁に軸方向に沿って１乃至複数形成され軸側固定凹部又は軸側固定凸部に嵌合する内周側嵌合凸部又は内周側嵌合凹部と、円筒状挿通固定部材の外周壁に軸方向に沿って１乃至複数形成され孔側固定凹部又は孔側固定凸部に嵌合する外周側嵌合凸部又は外周側嵌合凹部と、を備えた構成を有している。
【００４５】
この構成により、以下の作用を有する。
（１）円筒状挿通固定部材をベース側固定軸部の外周壁とパネル側固定孔部の内周壁との間隙部に挿入し、外周側嵌合凸部又は外周側嵌合凹部を孔側固定凹部又は孔側固定凸部に嵌合させ、内周側嵌合凸部又は内周側嵌合凹部を軸側固定凹部又は軸側固定凸部に嵌合さ
せることにより、操作パネル部をベース部に対し１乃至複数の角度に可変し保持できるので、操作パネル部に設けられた表示部の視認性やボタンやカーソルキー等の操作性を向上できる。
（２）操作パネル部を角度可変可能に保持するベース側固定軸部及びパネル側固定孔部が操作パネル部の回動軸である支軸と同軸に形成され、通信端末装置の内部に配設されているので、デザインの自由度が向上でき、また、装置のコンパクト化が可能である。
（３）円筒状挿通固定部材を間隙部から抜き出すことで操作パネル部が回動自在になりその角度を可変でき、間隙部に挿着するだけで操作パネル部を固定できるので、角度の可変する操作の操作性に優れる。
【００４６】
上記課題を解決するためになされた第６の発明は、第５の発明に記載の通信端末装置であって、ベース側軸固定体のベース側固定軸部の反対側の側壁から間隙部に連通するように穿設された押し出し摺動孔部と、押し出し摺動孔部に摺動自在に挿通された押し出し部と、押し出し部の端部に配設された押し出し用バネ部材と、押し出し用バネ部材を介して押し出し部を挿通固定部材を押し出す方向へ摺動させる押し出しレバー部と、を備えた構成を有している。
【００４７】
この構成により、第５の発明の作用に加え、以下の作用を有する。
（１）押し出しレバー部の操作により円筒状挿通固定部材が所定長さ押し出されるので、円筒状挿通固定部材を間隙部から容易に抜き出すことができる。
（２）押し出し部は押し出し用バネ部材を介して押し出しレバー部に接続されているので、押し出しレバー部を操作する際の感触を軟らかくでき操作性に優れる。
【００４８】
上記課題を解決するためになされた第７の発明は、通信端末装置であって、ベース部と、操作パネル部と、操作パネルをベース部に対して回動自在に軸支する１乃至複数の軸支部と、ベース部に固定されたベース側軸固定体と、ベース側軸固定体の側壁に軸支部の支軸と同軸に固定されたベース側固定軸部と、操作パネル部の下端部のベース側固定軸部に対応する位置に固定されたパネル側固定体と、パネル側固定体に軸支部の支軸と同軸に穿設されベース側固定軸部が挿通されたパネル側固定孔部と、パネル側固定体の上部に上下方向に回動自在に配設された蓋部と、ベース側固定軸部の外周壁に形成された１乃至複数の軸側固定凹部と、パネル側固定体の上部の外周壁からパネル側固定孔部の内部に連通した挿通固定孔部と、蓋部の下面に突設され蓋部の下方向への回動により挿通固定孔部に挿通されると共に軸側固定凹部に嵌入する嵌入突起部と、を備えた構成を有している。
【００４９】
この構成により、以下の作用を有する。
（１）蓋部を下方向に回動させ嵌入突起部を挿通固定孔部に挿通させると共に軸側固定凹部に嵌入させることにより、操作パネル部をベース部に対し１乃至複数の角度に可変し保持できるので、操作パネル部に設けられた表示部の視認性やボタンやカーソルキー等の操作性を向上できる。
（２）操作パネル部を角度可変可能に保持するベース側固定軸部が操作パネル部の回動軸である支軸と同軸に形成され、通信端末装置の内部に配設されているので、デザインの自由度が向上でき、また、装置のコンパクト化が可能である。
（３）蓋部を上方向に回動させ嵌入突起部を軸側固定凹部から抜き出すだけで操作パネル部が回動自在になりその角度を可変でき、蓋部を下方向に回動させ嵌入突起部を軸側固定凹部に嵌入させるだけで操作パネル部を固定できるので、角度の可変する操作の操作性に優れる。
【００５０】
ここで、蓋部の上面にロゴやモデル名、操作方法を記載することができ、外観を向上できる。
【００５１】
上記課題を解決するためになされた第８の発明は、通信端末装置であって、ベース部と、操作パネル部と、操作パネルをベース部に対して回動自在に軸支する１乃至複数の軸支部と、ベース部に固定されたベース側軸固定体と、ベース側固定体の側壁に立設され断面円弧状に形成され軸支部の支軸と同軸の円筒状に配設された複数の締め付け部と、操作パネル部の下端部の締め付け部に対応する位置に固定されたパネル側固定体と、パネル側固定体に軸支部の支軸部と同軸に穿設され締め付け部が挿通されたパネル側固定孔部と、パネル側固定孔部の内周壁に刻設された雌螺子部と、雌螺子部に螺合する雄螺子部を有しパネル側固定孔部に脱着自在に螺着される螺着固定部材と、螺着固定部材の螺着挿入方向先端部に形成され先端部に向かって縮径した縮径部と、を備えた構成を有している。
【００５２】
この構成により、以下の作用を有する。
（１）螺着固定部材をパネル側固定孔部に螺着しながら挿入し、縮径部により締め付け部の先端部の外壁をパネル側固定孔部の内周壁に圧接させることにより、操作パネル部をベース部に対し１乃至複数の角度に可変し保持できるので、操作パネル部に設けられた表示部の視認性やボタンやカーソルキー等の操作性を向上できる。
（２）操作パネル部を角度可変可能に保持する締め付け部及びパネル側固定孔部が操作パネル部の回動軸である支軸と同軸に形成され、通信端末装置の内部に配設されているので、デザインの自由度が向上でき、また、装置のコンパクト化が可能である。
（３）螺着固定部材を回転させて弛めるだけで操作パネル部が回動自在になりその角度を可変でき、螺着固定部材を回動させ締めるだけで操作パネル部を固定できるので、角度の可変する操作の操作性に優れる。
【００５３】
上記課題を解決するためになされた第９の発明は、通信端末装置であって、ベース部と、操作パネル部と、操作パネルをベース部に対して回動自在に軸支する１乃至複数の軸支部と、ベース部に固定されたベース側固定体と、ベース側固定体に軸支部の支軸の中心に対して偏心して穿設された１乃至複数のベース側偏心固定孔部と、操作パネル部の下端部に固定されたパネル側固定体と、パネル側固定体に軸支部の支軸の中心に対して偏心して穿設された１乃至複数のパネル側偏心固定孔部と、少なくとも１のベース側偏心固定孔部及び少なくとも１のパネル側偏心固定孔部に脱着自在に連挿される挿通固定部材と、を備えた構成を有している。
【００５４】
この構成により、以下の作用を有する。
（１）挿通固定部材をベース側偏心固定孔部とパネル側偏心固定孔部に連挿することにより、操作パネル部をベース部に対し１乃至複数の角度に可変し保持できるので、操作パネル部に設けられた表示部の視認性やボタンやカーソルキー等の操作性を向上できる。
（２）操作パネル部を角度可変可能に保持するためのベース側固定体、パネル側固定体、ベース側偏心固定孔部及びパネル側偏心固定孔部が通信端末装置の内部に配設されているので、デザインの自由度が向上でき、また、装置のコンパクト化が可能である。
（３）挿通固定部材をベース側偏心固定孔部とパネル側偏心固定孔部から抜き出すことで操作パネル部が回動自在になりその角度を可変でき、挿通固定部材をベース側偏心固定孔部とパネル側偏心固定孔部に連挿するだけで操作パネル部を固定できるので、角度の可変する操作の操作性に優れる。
（４）パネル側偏心固定孔部が通信端末装置の側部に形成されているので、挿通固定部材を挿入し易く操作性に優れる。
【００５５】
上記課題を解決するためになされた第１０の発明は、第１乃至第９の発明の内いずれか１に記載の通信端末装置であって、操作パネル部をベース部に対して起立する回動方向に付勢する回動用バネ部材を備えた構成を有している。
【００５６】
この構成により、第１乃至第９の発明の内いずれか１の作用に加え、以下の作用を有す
る。
（１）操作パネル部が回動用バネ部材により起立する回動方向に付勢されているので、挿通固定部材を外した場合に操作パネル部が急に倒れることがなく使用者が操作パネル部とベース部との間で指を挟むことがなく安全性に優れる。
【００５７】
（実施の形態１）
以下、本発明の実施の形態について、各図に基づいて説明する。
【００５８】
図１（ａ）は本実施の形態１における通信端末装置の分解状態を示す斜視図であり、図１（ｂ）は本実施の形態１における通信端末装置の組み立て状態を示す斜視図であり、図２は回動用バネ部材の取り付け状態を示す要部側面模式図であり、図３（ａ）はベース側固定体、パネル側固定体、及び挿通固定部材の要部断面図であり、図３（ｂ）は図３（ａ）のＡ−Ａ線の矢視断面図であり、図３（ｃ）は図３（ａ）のＢ−Ｂ線の矢視断面図であり、図３（ｄ）は図３（ａ）のＣ−Ｃ線の矢視断面図である。
【００５９】
図中、１は本実施の形態１における通信端末装置である。通信端末装置１は、通信を行う通信部と、制御部とを備えている（図示せず）。また、２はベース部、３はベース部２の前部に上面から前面に渡って凹状に形成されたベース凹部、４は通信端末装置１の操作をおこなう操作キーと、通信部に到来する情報や通信端末装置１の状態などを表示する表示部とを備え（図示せず）、ベース部２の上面側に回動自在に配設された操作パネル部、５はベース凹部３に突設固定されたベース側軸支部、６はベース側軸支部５の側壁にベース部２の上面に平行に固定された支軸、７は操作パネル部４の下端部の支軸６に対応する位置に固設されたパネル側軸支部、８はパネル側軸支部７に貫通形成され支軸６が挿通される支軸挿通孔、９はベース凹部３の突設固定されたベース側固定体、１０はベース側固定体９に支軸６と同軸となるように貫通形成された断面正五角形状のベース側固定孔部、１１は操作パネル部４の下端部の一側部に固設されたパネル側固定体、１２はパネル側固定体１１に支軸挿通孔８と同軸すなわち支軸挿通孔８に挿通された支軸６と同軸となるように貫通形成され断面がベース側固定孔部１０と同形の正五角形状に形成されたパネル側固定孔部、１３はパネル側固定孔部１２とベース側固定孔部１０に脱着自在に連挿される挿通固定部材、１４は正五角形の柱状に形成された挿通固定部材１３の挿通部、１５は挿通部１４の後端部に固設された円板状の把持部、１６はベース凹部３に覆設される凹部カバー部である。
【００６０】
図２において、１７は支軸６と同軸に配設されたバネ取り付け軸部、１８はバネ取り付け軸部１７に巻線部分が環装されたねじりコイルバネからなる回動用バネ部材、１９は回動用バネ部材１８の一端部を操作パネル部４に止着する止着部、２０は回動用バネ部材１８の他端部をベース部２に止着する止着部である。
【００６１】
図３において、２１は断面正五角形のベース側固定孔部１０の各頂点の隅部で形成された固定用凹部、２２は断面正五角形のパネル側固定孔部１２の各頂点の隅部で形成された固定用凹部、２３は正五角形の柱状の挿通部１４の各頂点の角部で形成された嵌合凸部である。
【００６２】
以上のように構成された本実施の形態１における通信端末装置１について、以下操作パネル部４のヒンジ装置の角度可変動作を図面を用いて説明する。
【００６３】
操作パネル部４をベース部２に対して所定の角度で保持するには、図３に示すようにベース側固定孔部１０とパネル側固定孔部１２は断面形状が同形の正五角形に形成されているので、これらを一致させた状態で挿通固定部材１３の挿通部１４をパネル側固定孔部１２に挿入しパネル側固定孔部１２とベース側固定孔部１０とに連挿させる。挿通部１４は
ベース側固定孔部１０及びパネル側固定孔部１２と同形の正五角形の柱状に形成されているので、挿通部１４の各角部の嵌合凸部２３は各々パネル側固定孔部１２の固定凹部２２及びベース側固定孔部の固定凹部２１に嵌合する。これにより、ベース側固定体９に対してパネル側固定体１１が固定されるので、操作パネル部４をベース部２に対して所定の角度で保持できる。
【００６４】
この状態から、操作パネル部４を別の傾斜角度に可変するには、挿通固定部材１３の把持部１５を摘んで挿通部１４をベース側固定孔部１０及びパネル側固定孔部１２から抜き出す。この状態で操作パネル部４を上下方向に回動させベース部２に対する角度を可変し、ベース側固定孔部１０とパネル側固定孔部１２の各頂点が一致した位置、すなわち各々の固定凹部２１と固定凹部２２が一致した位置で止め、上述したように挿通部１４をベース側固定孔部１０及びパネル側固定孔部１２に連挿させる。これにより、操作パネル部４をベース部２に対して所定の傾斜角度に可変でき、その角度で保持できる。
【００６５】
なお、図２に示すように、操作パネル部４は回動用バネ部材１８によりベース部２に対する傾斜角度が大きくなる方向に付勢されている。これにより、挿着部材１３を外しても操作パネル部４が急に倒れることがないので使用者が操作パネル部４とベース部２との間で指を挟むことがなく安全性に優れる。また、操作パネル部４を上方向に回動させる場合、手で持ち上げなくても回動用バネ部材１８により付勢され、操作パネル部４を下方向へ回動させる場合のみ手で押せばよいので操作性に優れる。
【００６６】
また、本実施の形態１においては、挿通固定部材１３を挿入方向側へ向かって付勢する引っ張り用バネ部材を備えることもできる。以下、引っ張り用バネ部材について図４を用いて説明する。
【００６７】
図４（ａ）は挿通固定部材を挿着した状態を示す要部断面図であり、図４（ｂ）は操作パネル部を回動できる位置まで挿通固定部材を引っ張り出した状態を示す要部断面図である。
【００６８】
図４において、２５はベース凹部３のベース側固定体９の側部に立設されたバネ固定部、２６は一端部がバネ固定部２５に止着され他端部が挿通固定部材１３の挿入側先端部に止着された引っ張り用バネ部材である。
【００６９】
図４に示すように、操作パネル部４の傾斜角度に可変する際に、挿通固定部材１３を引っ張り、挿通部１４が少なくともベース側固定孔部１０から抜き出される位置まで引っ張り出せば操作パネル部４をベース部２に対して回動させることができる。また、挿通固定部材１３は引っ張り用バネ部材２６によりバネ固定部２５に繋がっているので挿通固定部材１３を引っ張りだした際に紛失することがなく、使用性に優れる。
【００７０】
また、本実施の形態１においては、挿通固定部材１３を挿入方向の反対側へ向かって付勢する圧縮用バネ部材を備えることもできる。以下、圧縮用バネ部材について図５を用いて説明する。
【００７１】
図５（ａ）は挿通固定部材を挿着した状態を示す要部断面図であり、図５（ｂ）は操作パネル部を回動できる位置まで挿通固定部材を押し込んだ状態を示す要部断面図である。
【００７２】
図５において、２７は挿通固定部材、２８は挿通固定部材２７の挿通部、２８ａは挿通固定部材２７の挿入方向の反対側の端部に形成された押し込み部、２９は一端部がバネ固定部２５に止着され他端部が挿通固定部材２７の挿入側先端部に止着された圧縮用バネ部材である。
【００７３】
図５に示すように、操作パネル部４の傾斜角度に可変する際に、挿通固定部材２７の押し込み部２８ａを挿入方向に向かって押し込み、挿通部２８が少なくともパネル側固定孔部１２から抜き出される位置まで押し込めば操作パネル部４をベース部２に対して回動させることができる。また、挿通固定部材２７は押し込み部２８ａがパネル側固定孔部１２の内部に配設され操作パネル部４の側部に突出していないので、外観に優れる。
【００７４】
なお、本実施の形態１においては、ベース側固定孔部１０及びパネル側固定孔部１２が断面正五角形状に形成されているが、これに限られるものではなく、正方形や正六角形、正八角形等の種々の正多角形状に形成することができる。
【００７５】
以上のように本実施の形態１における通信端末装置１は構成されているので、以下のような作用を有する。
（１）挿通固定部材１３の挿通部１４をパネル側固定孔部１２とベース側固定孔部１０とに連挿させ、挿通部１４の嵌合凸部２３を固定凹部２２及び固定凹部２１に嵌合させることにより、操作パネル部４をベース部２に対し１乃至複数の角度に可変し保持できるので、操作パネル部４に設けられた表示部の視認性やボタンやカーソルキー等の操作性を向上できる。
（２）操作パネル部４を角度可変可能に保持するベース側固定孔部１０及びパネル側固定孔部１２が操作パネル部４の回動軸である支軸６と同軸に形成され、通信端末装置１の内部に配設されているので、デザインの自由度が向上でき、また、装置のコンパクト化が可能である。
（３）挿通固定部材１３をベース側固定孔部１０及びパネル側固定孔部１２から抜き出すことで操作パネル部４が回動自在になりその角度を可変でき、挿通固定部材１３をベース側固定孔部１０及びパネル側固定孔部１２に挿着するだけで操作パネル部４を固定できるので、角度の可変する操作の操作性に優れる。
（４）ベース側固定孔部１０及びパネル側固定孔部１２が通信端末装置１の側部に形成されているので、挿通固定部材１３を挿入し易く操作性に優れる。
（５）操作パネル部４が回動用バネ部材１８により上方へ回動する方向に付勢されているので、挿通固定部材１３を外しても操作パネル部４が急に倒れることがなく使用者が操作パネル部４とベース部２との間で指を挟むことがなく安全性に優れる。
【００７６】
（実施の形態２）
図６（ａ）はベース側固定体、パネル側固定体、及び挿通固定部材の要部断面図であり、図６（ｂ）は図６（ａ）のＤ−Ｄ線の矢視断面図であり、図６（ｃ）は図６（ａ）のＥ−Ｅ線の矢視断面図であり、図６（ｄ）は図６（ａ）のＦ−Ｆ線の矢視断面図である。
【００７７】
図６において、３１は断面円形状のベース側固定孔部１０の内周壁に軸方向に沿って形成され周方向に等間隔となるように複数が周設された固定凹部、３２は断面円形状のパネル側固定孔部１２の内周壁に軸方向に沿って形成され周方向に等間隔となるように複数が周設された固定凹部、３３は円柱状の挿通部１４の外周壁に軸方向に沿って突設形成され等間隔となるように複数が周設された嵌合凸部である。なお、実施の形態１において説明したものは同一の符号をつけて説明を省略する。
【００７８】
以上のように構成された本実施の形態２における通信端末装置が実施の形態１と異なる点は、ベース側固定孔部１０及びパネル側固定孔部１２が内周壁に複数の固定凹部３１，３２が形成された断面歯車状に形成され、挿通部１４が外周壁に複数の嵌合凸部３３が形成された断面歯車状に形成されている点である。この構成の相異により本実施の形態２における通信端末装置は、実施の形態１の作用に加え、以下のような作用を有する。
（１）ベース側固定孔部１０、パネル側固定孔部１２、及びこれらに挿通される挿通部１
４が断面歯車状に形成されているので、歯車の溝部分であるベース側固定孔部１０及びパネル側固定孔部１２の固定凹部３１，３２を多数設けることにより、操作パネル部４の傾斜角度を細かく設定することができ、固定凹部３１，３２を多数設けた場合であっても嵌合凸部３３が固定凹部３１，３２に確実に嵌合し使用性及び操作性に優れる。
【００７９】
（実施の形態３）
図７（ａ）は本実施の形態３における通信端末装置の分解状態を示す斜視図であり、図７（ｂ）は本実施の形態３における通信端末装置の組み立て状態を示す斜視図であり、図８はベース側固定軸部、軸孔部、パネル側固定孔部、及び挿通固定部材の要部拡大斜視図である。
【００８０】
図中、１ａは本実施の形態３における通信端末装置、４０はベース凹部３の上面に突設固定されたベース側軸固定体、４１はベース側軸固定体４０の側壁に支軸６と同軸となるように固定されたベース側固定軸部、４２はベース側固定軸部４１の中心に同軸となるように貫通形成された軸孔部、４３は操作パネル部４の下端部の一側部のベース側固定軸部４１に対応する位置に固設されたパネル側固定体、４４はパネル側固定体４３に支軸挿通孔８と同軸すなわち支軸挿通孔８に挿通された支軸６と同軸となるように貫通形成されベース側固定軸部４１が挿通されたパネル側固定孔部、４５は軸孔部４２に脱着自在に挿通される挿通固定部材、４６は円柱状に形成された挿通部、４７は挿通部４６の後端部に固設された把持部を兼ねる円板状のピン固定部である。なお、実施の形態１で説明したものと同様のものは同一の符号を付けて説明を省略する。
【００８１】
図８において、５１は断面円形状の軸孔部４２の内周壁に長手方向に沿って形成され周方向に等間隔となるように複数が周設された軸孔固定凹部、５２は断面円形状のパネル側固定孔部１２の内周壁に長手方向に沿って形成され周方向に等間隔となるように複数が周設された挿入嵌合固定凹部、５３は円柱状の挿通部１４の先端側の外周壁に長手方向に沿って突設形成され等間隔となるように複数が周設され軸孔固定凹部５１に嵌合する軸孔嵌合凸部、５４はピン固定部４７の挿通部１４側の面に突設され挿入嵌合固定凹部５２に挿入され嵌合する挿入嵌合ピンである。
【００８２】
以上のように構成された本実施の形態３における通信端末装置１ａについて、以下操作パネル部４のヒンジ装置の角度可変動作を図面を用いて説明する。
【００８３】
操作パネル部４をベース部２に対して所定の角度で保持するには、まず、挿通固定部材４５の挿通部４６を軸孔部４２に挿入し、軸孔嵌合凸部５３を軸孔固定凹部５１に嵌合させる。さらに挿通部４６を軸孔部４２に挿入し、ピン固定部４７に固定された挿入嵌合ピン５４を挿入嵌合固定凹部５２に挿入し嵌合させる。これにより、ベース側固定軸部４１に対してパネル側固定体４３が固定されるので、操作パネル部４をベース部２に対して所定の角度で保持できる。
【００８４】
この状態から、操作パネル部４を別の傾斜角度に可変するには、挿通固定部材４５を挿入方向の反対方向に移動させ、挿入嵌合ピン５４を挿入嵌合固定凹部５２から抜き出す。この状態で、操作パネル部４を上下方向に回動させベース部２に対する角度を可変し、挿入嵌合ピン５４をいずれかの挿入嵌合固定凹部５２に挿入可能な位置で止め、上述したように挿入嵌合ピン５４を挿入嵌合固定凹部５２に挿入し嵌合させる。これにより、操作パネル部４をベース部２に対して所定の傾斜角度に可変でき、その角度で保持できる。
【００８５】
なお、本実施の形態３において、実施の形態１で図２を用いて説明したように、回動用バネ部材１８を備えることもでき、同様の作用を有する。
【００８６】
以上のように本実施の形態３における通信端末装置１ａは構成されているので、以下のような作用を有する。
（１）挿通固定部材４５の挿通部４６を軸孔部４２に挿入し、挿通部４６の軸孔嵌合凸部５３を軸孔固定凹部５１に嵌合させると共に、挿入嵌合ピン５４を挿入嵌合固定凹部５２に挿入し嵌合させることにより、操作パネル部４をベース部２に対し１乃至複数の角度に可変し保持できるので、操作パネル部４に設けられた表示部の視認性やボタンやカーソルキー等の操作性を向上できる。
（２）操作パネル部４を角度可変可能に保持するためのベース側固定軸部４１、軸孔部４２及びパネル側固定孔部４４が、操作パネル部４の回動軸である支軸６と同軸に形成され、通信端末装置１ａの内部に配設されているので、デザインの自由度が向上でき、また、装置のコンパクト化が可能である。
（３）挿通固定部材４５の挿入嵌合ピン５４を挿入嵌合固定凹部５２から抜き出すことで操作パネル部４が回動自在になりその角度を可変でき、挿通固定部材１３の挿通部４６を軸孔部４６に挿入すると共に挿入嵌合ピン５４を挿入嵌合固定凹部５２に挿入し嵌合させるだけで操作パネル部４を固定できるので、角度の可変する操作の操作性に優れる。
（４）軸孔部４２及びパネル側固定孔部４４が通信端末装置１ａの側部に形成されているので、挿通固定部材４５を挿入し易く操作性に優れる。
【００８７】
（実施の形態４）
図９（ａ）は本実施の形態４における通信端末装置の分解状態を示す斜視図であり、図９（ｂ）は本実施の形態４における通信端末装置の組み立て状態を示す斜視図であり、図１０（ａ）はベース側軸固定体、パネル側固定体、及び挿通固定部材の要部断面図であり、図１０（ｂ）は図１０（ａ）のＧ−Ｇ線の矢視断面図であり、図１０（ｃ）は図１０（ａ）のＨ−Ｈ線の矢視断面図である。
【００８８】
図中、１ｂは本実施の形態４における通信端末装置、６０はベース凹部３の上面に突設固定されたベース側軸固定体、６１はベース側軸固定体６０の側壁に支軸６と同軸となるように固定されたベース側固定軸部、６２は操作パネル部４の下端部のベース側固定軸部６１に対応する一側部に固設されたパネル側固定体、６３はパネル側固定体６２に支軸挿通孔８と同軸すなわち支軸挿通孔８に挿通された支軸６と同軸となるように貫通形成されベース側固定軸部６１が挿通されたパネル側固定孔部、６４はベース側固定軸部６１の外周壁とパネル側挿通孔部６３の内周壁との間隙部に挿着される円筒状挿通固定部材、６５は円筒状に形成された円筒状挿通部、６６は円筒状挿通部６５の後端部に固設された円板状の把持部である。なお、実施の形態１で説明したものと同様のものは同一の符号を付けて説明を省略する。
【００８９】
図１０において、７１は断面円形状のベース側固定軸部６１の外周壁に軸方向に沿って形成され周方向に等間隔となるように複数が周設された軸側固定凹部、７２は断面円形状のパネル側固定孔部６３の内周壁に軸方向に沿って形成され周方向に等間隔となるように複数が周設された孔側固定凹部、７３はベース側固定軸部６１の外周壁とパネル側挿通孔部６３の内周壁との間に形成された間隙部、７４は円筒状挿通部６５の外周壁に軸方向に沿って突設形成され等間隔となるように複数が周設され孔側固定凹部７２に嵌合する外周側嵌合凸部、７５は円筒状挿通部６５の内周壁に軸方向に沿って突設形成され等間隔となるように複数が周設され軸側固定凹部７１に嵌合する内周側嵌合凸部である。
【００９０】
以上のように構成された本実施の形態４における通信端末装置１ｂについて、以下操作パネル部４のヒンジ装置の角度可変動作を図面を用いて説明する。
【００９１】
操作パネル部４をベース部２に対して所定の角度で保持するには、円筒状挿通固定部材６４の円筒状挿通部６５を間隙部７３に挿入し、外周側嵌合凸部７４を孔側固定凹部７２
に嵌合させ、内周側嵌合凸部７５を軸側固定凹部７１に嵌合させる。これにより、ベース側固定軸部６１に対してパネル側固定体６２が固定されるので、操作パネル部４をベース部２に対して所定の角度で保持できる。
【００９２】
この状態から、操作パネル部４を別の傾斜角度に可変するには、円筒状挿通部６５を間隙部７３から抜き出す。この状態で操作パネル部４を上下方向に回動させベース部２に対する角度を可変し、図１０（ｂ）に示すような軸側固定凹部７１と孔側固定凹部７２とが向かい合った位置で止め、上述したように円筒状挿通部６５を間隙部７３に挿入し嵌合させる。これにより、操作パネル部４をベース部２に対して所定の傾斜角度に可変でき、その角度で保持できる。
【００９３】
なお、本実施の形態４において、実施の形態１で図２を用いて説明したように、回動用バネ部材１８を備えることもでき、同様の作用を有する。
【００９４】
また、本実施の形態４においては、間隙部７３に挿入した円筒状挿通固定部材６４を押し出すための押し出し部を備えることもできる。以下、押し出し部について図１１を用いて説明する。
【００９５】
図１１（ａ）は押し出し部の押し出し動作前の状態を示す要部断面図であり、図１１（ｂ）は押し出し部の押し出し動作後の状態を示す要部断面図である。
【００９６】
図１１において、７６はベース凹部３の内部に支軸６の軸方向に摺動自在に配設された押し出しレバー部、７７は押し出しレバー部７６に取り付けられた板バネからなる押し出し用バネ部材、７８は押し出し用バネ部材７７に連設された二又の棒状部材により形成された押し出し部、７９はベース部軸固定体６０の押し出しレバー部７６側の側壁から間隙部７３に連通して形成され押し出し部７８が摺動自在に挿通された押し出し摺動孔部である。なお、押し出しレバー部７６の上端部は凹部カバー部１６に設けられた開口部（図示せず）等を介してベース部２の上面側に突出するように配設されている。
【００９７】
図１１に示すように、押し出しレバー部７６の上端部を摘んで円筒状挿通固定部材６４を押し出す方向（図１１の右方向）に移動させると、押し出し用バネ部材７７は弾性的に縮みながら押し出し部７８を押し出す。押し出し部７８は押し出し摺動孔部７９に沿って摺動し、その先端部で間隙部７３に挿入された円筒状挿通部６５を押し出す。押し出しレバー部７６の操作により円筒状挿通固定部材６４が所定長さ押し出されるので、円筒状挿通部６５を間隙部７３から容易に抜き出すことができる。また、押し出し部７８は押し出し用バネ部材７７を介して押し出しレバー部７６に接続されているので、押し出しレバー部７６を操作する際の感触を軟らかくでき操作性に優れる。
【００９８】
なお、本実施の形態４において、実施の形態１で図２を用いて説明したように、回動用バネ部材１８を備えることもでき、同様の作用を有する。
【００９９】
以上のように本実施の形態４における通信端末装置１ｂは構成されているので、以下のような作用を有する。
（１）円筒状挿通固定部材６４の円筒状挿通部６５をベース側固定軸部６１の外周壁とパネル側固定孔部６３の内周壁との間隙部７３に挿入し、円筒状挿通部６５の外周側嵌合凸部７５を孔側固定凹部７２に嵌合させ、内周側嵌合凸部７４を軸側固定凹部７１に嵌合させることにより、操作パネル部４をベース部２に対し１乃至複数の角度に可変し保持できるので、操作パネル部４に設けられた表示部の視認性やボタンやカーソルキー等の操作性を向上できる。
（２）操作パネル部４を角度可変可能に保持するベース側固定軸部６１及びパネル側固定
孔部６３が操作パネル部４の回動軸である支軸６と同軸に形成され、通信端末装置１ｂの内部に配設されているので、デザインの自由度が向上でき、また、装置のコンパクト化が可能である。
（３）円筒状挿通固定部材６４の円筒状挿通部６５を間隙部７３から抜き出すことで操作パネル部４が回動自在になりその角度を可変でき、円筒状挿通部６５を間隙部７３に挿着するだけで操作パネル部４を固定できるので、角度の可変する操作の操作性に優れる。
（４）ベース側固定軸部６１とパネル側固定孔部６３、及びそれらの間隙部７３が通信端末装置１ｂの側部に形成されているので、円筒状挿通固定部材６４を挿入し易く操作性に優れる。
【０１００】
（実施の形態５）
図１２（ａ）は本実施の形態５における通信端末装置の分解状態を示す斜視図であり、図１２（ｂ）は本実施の形態５における通信端末装置の組み立て状態を示す斜視図であり、図１３（ａ）はベース側軸固定体、パネル側固定体及び蓋部の要部断面図であり、図１３（ｂ）は図１３（ａ）のＩ−Ｉ線の矢視断面図である。
【０１０１】
図中、１ｃは本実施の形態４における通信端末装置、８０はベース凹部３に突設固定されたベース側軸支部、８１はベース側軸支部８０の側部にベース部２の上面に平行に固定された支軸、８２は操作パネル部４の下端部の支軸８１に対応する位置に固設されたパネル側軸支部、８３はパネル側軸支部８２に貫通形成され支軸８１が挿通される支軸挿通孔、８４はベース凹部３の上面に突設固定されたベース側軸固定部、８５はベース側軸固定部８４の側壁に支軸８１と同軸となるように固定された断面円形状のベース側固定軸部、８６は操作パネル部４の下端部のベース側固定軸部８５に対応する位置に固設されたパネル側固定体、８７はパネル側固定体８６に支軸挿通孔８３と同軸すなわち支軸挿通孔８３に挿通された支軸８１と同軸となるように貫通形成されベース側固定軸部８５が挿通される断面円形状のパネル側固定孔部、８８はパネル側固定体８６の上面に沿った湾曲状に形成されパネル側固定体８６の上部にヒンジ部で上下方向に回動自在に軸支された蓋部である。なお、実施の形態１で説明したものと同様のものは同一の符号を付けて説明を省略する。
【０１０２】
図１３において、８９は蓋部８８の下部のパネル側固定体８６の上面からパネル側固定孔部８７に貫通形成された挿通固定孔部、９０は蓋部８８の下面に突設され挿通固定孔部８９に挿入されると共に後述の軸側固定凹部に嵌入する嵌入突起部、９１はベース側固定軸部８５の外周壁に周方向に複数が周設された軸側固定凹部、９２は蓋部８８を回動自在に軸支するヒンジ部である。
【０１０３】
以上のように構成された本実施の形態５における通信端末装置１ｃについて、以下操作パネル部４のヒンジ装置の角度可変動作を図面を用いて説明する。
【０１０４】
操作パネル部４をベース部２に対して所定の角度で保持するには、蓋部８８を下方向に回動させ嵌入突起部９０を挿通固定孔部８９に挿通させると共に軸側固定凹部９１に嵌入させる。これにより、ベース側固定軸部８５に対してパネル側固定体８６が固定されるので、操作パネル部４をベース部２に対して所定の角度で保持できる。
【０１０５】
この状態から、操作パネル部４を別の傾斜角度に可変するには、蓋部８８を上方向に回動させ嵌入突起部９０を軸側固定凹部９１から抜き出す。この状態で操作パネル部４を上下方向に回動させベース部２に対する角度を可変し、図１３（ｂ）に示すような挿通固定孔部８９と軸側固定凹部９１とが連通した位置で止め、上述したように蓋部８８を下方向に回動させ嵌入突起部９０を軸側固定凹部９１に嵌入させる。これにより、操作パネル部４をベース部２に対して所定の傾斜角度に可変でき、その角度で保持できる。
【０１０６】
なお、本実施の形態５において、実施の形態１で図２を用いて説明したように、回動用バネ部材１８を備えることもでき、同様の作用を有する。
【０１０７】
以上のように本実施の形態５における通信端末装置１ｃは構成されているので、以下のような作用を有する。
（１）蓋部８８を下方向に回動させ嵌入突起部９０を挿通固定孔部８９に挿通させると共に軸側固定凹部９１に嵌入させることにより、操作パネル部４をベース部２に対し１乃至複数の角度に可変し保持できるので、操作パネル部４に設けられた表示部の視認性やボタンやカーソルキー等の操作性を向上できる。
（２）操作パネル部４を角度可変可能に保持するベース側固定軸部８５が操作パネル部４の回動軸である支軸８１と同軸に形成され、通信端末装置１ｃの内部に配設されているので、デザインの自由度が向上でき、また、装置のコンパクト化が可能である。
（３）蓋部８８を上方向に回動させ嵌入突起部９０を軸側固定凹部９１から抜き出すだけで操作パネル部４が回動自在になりその角度を可変でき、蓋部８８を下方向に回動させ嵌入突起部９０を軸側固定凹部９１に嵌入させるだけで操作パネル部４を固定できるので、角度の可変する操作の操作性に優れる。
【０１０８】
（実施の形態６）
図１４（ａ）は本実施の形態６における通信端末装置の分解状態を示す斜視図であり、図１４（ｂ）は本実施の形態６における通信端末装置の組み立て状態を示す斜視図であり、図１５は操作パネル部の固定状態を示す要部断面図である。
【０１０９】
図中、１ｄは本実施の形態６における通信端末装置、１００はベース凹部３の上面に突設固定されたベース側軸固定体、１０１は断面略円弧状に湾曲した４つの湾曲板部材からなり支軸６と同軸の円筒状にベース側軸固定体１００の側部に立設固定された締め付け部、１０１ａは締め付け部１０１の各々の湾曲板部材の先端部の内側に形成された傾斜部、１０２は操作パネル部４の下端部の一側部の締め付け部１０１に対応する位置に固設されたパネル側固定体、１０３はパネル側固定体１０２に支軸挿通孔８と同軸すなわち支軸挿通孔８に挿通された支軸６と同軸となるように貫通形成され締め付け部１０１が挿通されたパネル側固定孔部、１０３ａはパネル側固定孔部１０３の一端部から内部の略中央部までの内周壁に刻設された雌螺子部、１０４はパネル側固定孔部１０３に脱着自在に螺着される螺着固定部材、１０５は螺着固定部材１０４の外周壁に刻設され雌螺子部１０３ａに螺合される雄螺子部、１０６は螺着固定部材１０４の先端部に突設され先端部に向かってテーパ状に縮径した縮径部、１０７は雄螺子部１０５の後端部側に固設された円板状の把持部、１０８は把持部１０７に固定されたレバー部である。なお、実施の形態１で説明したものと同様のものは同一の符号を付けて説明を省略する。
【０１１０】
以上のように構成された本実施の形態６における通信端末装置１ｄについて、以下操作パネル部４のヒンジ装置の角度可変動作を図面を用いて説明する。
【０１１１】
操作パネル部４をベース部２に対して所定の角度で保持するには、螺着固定部材１０４の雄螺子部１０５をパネル側固定孔部１０３の雌螺子部１０３ａに螺合させレバー部１０８に指を掛ける等して回転させ螺着しながら挿入する。螺着固定部材１０４の先端部の縮径部１０６を締め付け部１０１の傾斜部１０１ａに当接させ、さらに挿入して締め付け部１０１を外側に弾性変形させ締め付け部１０１の先端部の外壁をパネル側固定孔部１０３の内周壁に圧接させる。これにより、締め付け部１０１に対してパネル側固定体１０２が固定されるので、操作パネル部４をベース部２に対して所定の角度で保持できる。
【０１１２】
この状態から、操作パネル部４を別の傾斜角度に可変するには、螺着固定部材１０４を
螺着を弛める方向に回転させ、抜き出す方向に所定長さ移動させて締め付け部１０１の外壁をパネル側固定孔部１０３の内周壁から離隔させる。この状態で操作パネル部４を上下方向に回動させベース部２に対する角度を可変し、上述したように螺着固定部材１０４をパネル側固定孔部１０３に螺着挿入し、締め付け部１０１をパネル側固定孔部１０３の内周壁に圧接させる。これにより、操作パネル部４をベース部２に対して所定の傾斜角度に可変でき、その角度で保持できる。
【０１１３】
なお、本実施の形態６において、実施の形態１で図２を用いて説明したように、回動用バネ部材１８を備えることもでき、同様の作用を有する。
【０１１４】
以上のように本実施の形態６における通信端末装置１ｄは構成されているので、以下のような作用を有する。
（１）螺着固定部材１０４をパネル側固定孔部１０３に螺着しながら挿入し、縮径部１０６により締め付け部１０１の先端部の外壁をパネル側固定孔部１０３の内周壁に圧接させることにより、操作パネル部４をベース部２に対し１乃至複数の角度に可変し保持できるので、操作パネル部４に設けられた表示部の視認性やボタンやカーソルキー等の操作性を向上できる。
（２）操作パネル部４を角度可変可能に保持する締め付け部１０１及びパネル側固定孔部１０３が操作パネル部４の回動軸である支軸６と同軸に形成され、通信端末装置１ｄの内部に配設されているので、デザインの自由度が向上でき、また、装置のコンパクト化が可能である。
（３）螺着固定部材１０４を回転させて弛めるだけで操作パネル部４が回動自在になりその角度を可変でき、螺着固定部材１０４を回動させ締めるだけで操作パネル部４を固定できるので、角度の可変する操作の操作性に優れる。
（４）パネル側固定孔部１０３が通信端末装置１ｄの側部に形成されているので、螺着固定部材１０４を螺着し易く操作性に優れる。
【０１１５】
（実施の形態７）
図１６（ａ）は本実施の形態７における通信端末装置の分解状態を示す斜視図であり、図１６（ｂ）は本実施の形態７における通信端末装置の組み立て状態を示す斜視図であり、図１７（ａ）はベース側軸固定体、パネル側固定体、及び挿通固定部材の要部断面図であり、図１７（ｂ）は図１７（ａ）のＪ−Ｊ線の矢視断面図であり、図１７（ｃ）は図１７（ａ）のＫ−Ｋ線の矢視断面図であり、図１７（ｄ）は図１７（ａ）のＬ−Ｌ線の矢視断面図である。
【０１１６】
図中、１ｅは本実施の形態７における通信端末装置、１１０はベース側固定体９に支軸６の中心に対して偏心した位置であり、支軸６を中心とする同心円上に等間隔で複数穿設されたベース側偏心固定孔部、１１１はパネル側固定体１１に支軸６の中心に対して偏心した位置であり、支軸６を中心とする同心円上に等間隔で複数穿設されたパネル側偏心固定孔部、１１２はベース側偏心固定孔部１１０及びパネル側偏心固定孔部１１１に脱着自在に連挿される挿通固定部材、１１３は挿通固定部材１１２の挿通部、１１４は把持部である。なお、実施の形態１で説明したものと同様のものは同一の符号を付けて説明を省略する。
【０１１７】
ここで、ベース側偏心固定孔部１１０とパネル側偏心固定孔部１１１は、操作パネル部４の傾斜角度を９０°可変する毎に連通するように形成されている。挿通固定部材１１２の挿通部１１３は円板状の把持部１１４に一端部が固定された２本の棒状部材からなり、各々４つのベース側偏心固定孔部１１０とパネル側偏心固定孔部１１１の内、対向する位置に穿設されたベース側偏心固定孔部１１０とパネル側偏心固定孔部１１１が連通した状態で各々に連挿されるように形成されている。
【０１１８】
以上のように構成された本実施の形態７における通信端末装置１ｅについて、以下操作パネル部４のヒンジ装置の角度可変動作を図面を用いて説明する。
【０１１９】
操作パネル部４をベース部２に対して所定の角度で保持するには、挿通固定部材１１２の挿通部１１３を連通したベース側偏心固定孔部１１０とパネル側偏心固定孔部１１１に連挿させる。
【０１２０】
この状態から、操作パネル部４を別の傾斜角度に可変するには、挿通固定部材１１２の挿通部１１３をベース側偏心固定孔部１１０とパネル側偏心固定孔部１１１から抜き出し、操作パネル部４を上下方向に回動させベース部２に対する角度を可変し、各々のベース側偏心固定孔部１１０とパネル側偏心固定孔部１１１が連通する位置で停止させ、挿通部１１３を連挿させる。これにより、操作パネル部４をベース部２に対して所定の傾斜角度に可変でき、その角度で保持できる。
【０１２１】
なお、本実施の形態７において、実施の形態１で図２を用いて説明したように、回動用バネ部材１８を備えることもでき、同様の作用を有する。
【０１２２】
以上のように本実施の形態７における通信端末装置１ｅは構成されているので、以下のような作用を有する。
（１）挿通固定部材１１２の挿通部１１３をベース側偏心固定孔部１１０とパネル側偏心固定孔部１１１に連挿することにより、操作パネル部４をベース部２に対し１乃至複数の角度に可変し保持できるので、操作パネル部４に設けられた表示部の視認性やボタンやカーソルキー等の操作性を向上できる。
（２）操作パネル部４を角度可変可能に保持するためのベース側固定体９、パネル側固定体１１、ベース側偏心固定孔部１１０及びパネル側偏心固定孔部１１１が通信端末装置１ｅの内部に配設されているので、デザインの自由度が向上でき、また、装置のコンパクト化が可能である。
（３）挿通固定部材１１２の挿通部１１３をベース側偏心固定孔部１１０とパネル側偏心固定孔部１１１から抜き出すことで操作パネル部４が回動自在になりその角度を可変でき、挿通部１１３をベース側偏心固定孔部１１０とパネル側偏心固定孔部１１１に連挿するだけで操作パネル部４を固定できるので、角度の可変する操作の操作性に優れる。
（４）パネル側偏心固定孔部１１１が通信端末装置１ｅの側部に形成されているので、挿通固定部材１１２を挿入し易く操作性に優れる。
【０１２３】
なお、本発明の実施の形態１以下全ての実施の形態における通信端末装置を、電話回線を介して通信を行う通信部と、制御部と、遠端話者からの音声を出力するスピーカ部と、近端話者の音声を入力するマイク部とを備えた構成とすることも同様に実施可能である。
【０１２４】
また、ペン等を画面に直接接触させることにより装置へ入力を行うタッチパネル等を操作パネル部４に備えて構成することも本発明の実施の形態１以下全ての実施の形態において同様に実施可能である。
【産業上の利用可能性】
【０１２５】
本発明は、操作パネル部をベース部に対し１乃至複数の角度に可変し保持できる電話装置やファクシミリ装置等の通信端末装置に関し、特に、本発明によれば、操作パネル部をベース部に対し１乃至複数の角度に可変し保持できるので、操作パネル部に設けられた表示部の視認性やボタンやカーソルキー等の操作性を向上できると共に、角度を可変するための機構を装置内部に設けることでデザインの自由度の向上及びコンパクト化が可能で、且つ、角度の可変する操作の操作性に優れた通信端末装置を提供することができる。
【図面の簡単な説明】
【０１２６】
【図１】（ａ）本実施の形態１における通信端末装置の分解状態を示す斜視図、（ｂ）本実施の形態１における通信端末装置の組み立て状態を示す斜視図
【図２】回動用バネ部材の取り付け状態を示す要部側面模式図
【図３】（ａ）ベース側固定体、パネル側固定体、及び挿通固定部材の要部断面図、（ｂ）図３（ａ）のＡ−Ａ線の矢視断面図、（ｃ）図３（ａ）のＢ−Ｂ線の矢視断面図、（ｄ）図３（ａ）のＣ−Ｃ線の矢視断面図
【図４】（ａ）挿通固定部材を挿着した状態を示す要部断面図、（ｂ）操作パネル部を回動できる位置まで挿通固定部材を引っ張り出した状態を示す要部断面図
【図５】（ａ）挿通固定部材を挿着した状態を示す要部断面図、（ｂ）操作パネル部を回動できる位置まで挿通固定部材を押し込んだ状態を示す要部断面図
【図６】（ａ）ベース側固定体、パネル側固定体、及び挿通固定部材の要部断面図、（ｂ）図６（ａ）のＤ−Ｄ線の矢視断面図、（ｃ）図６（ａ）のＥ−Ｅ線の矢視断面図、（ｄ）図６（ａ）のＦ−Ｆ線の矢視断面図
【図７】（ａ）本実施の形態３における通信端末装置の分解状態を示す斜視図、（ｂ）本実施の形態３における通信端末装置の組み立て状態を示す斜視図
【図８】ベース側固定軸部、軸孔部、パネル側固定孔部、及び挿通固定部材の要部拡大斜視図
【図９】（ａ）本実施の形態４における通信端末装置の分解状態を示す斜視図、（ｂ）本実施の形態４における通信端末装置の組み立て状態を示す斜視図
【図１０】（ａ）ベース側軸固定体、パネル側固定体、及び挿通固定部材の要部断面図、（ｂ）図１０（ａ）のＧ−Ｇ線の矢視断面図、（ｃ）図１０（ａ）のＨ−Ｈ線の矢視断面図
【図１１】（ａ）押し出し部の押し出し動作前の状態を示す要部断面図、（ｂ）押し出し部の押し出し動作後の状態を示す要部断面図
【図１２】（ａ）本実施の形態５における通信端末装置の分解状態を示す斜視図、（ｂ）本実施の形態５における通信端末装置の組み立て状態を示す斜視図
【図１３】（ａ）ベース側軸固定体、パネル側固定体及び蓋部の要部断面図、（ｂ）図１３（ａ）のＩ−Ｉ線の矢視断面図
【図１４】（ａ）本実施の形態６における通信端末装置の分解状態を示す斜視図、（ｂ）本実施の形態６における通信端末装置の組み立て状態を示す斜視図
【図１５】操作パネル部の固定状態を示す要部断面図
【図１６】（ａ）本実施の形態７における通信端末装置の分解状態を示す斜視図、（ｂ）本実施の形態７における通信端末装置の組み立て状態を示す斜視図
【図１７】（ａ）ベース側軸固定体、パネル側固定体、及び挿通固定部材の要部断面図、（ｂ）図１７（ａ）のＪ−Ｊ線の矢視断面図、（ｃ）は図１７（ａ）のＫ−Ｋ線の矢視断面図、（ｄ）図１７（ａ）のＬ−Ｌ線の矢視断面図
【符号の説明】
【０１２７】
１，１ａ，１ｂ，１ｃ，１ｄ，１ｅ    通信端末装置
２    ベース部
３    ベース凹部
４    操作パネル部
５    ベース側軸支部
６    支軸
７    パネル側軸支部
８    支軸挿通孔
９    ベース側固定体
１０    ベース側固定孔部
１１    パネル側固定体
１２    パネル側固定孔部
１３，２７    挿通固定部材
１４，２８    挿通部
１５    把持部
１６    凹部カバー部
１７    バネ取り付け軸部
１８    回動用バネ部材
１９，２０    止着部
２１，２２，３１，３２    固定凹部
２３，３３    嵌合凹部
２５    バネ固定部
２６    引っ張り用バネ部材
２８ａ    押し込み部
２９    圧縮用バネ部材
４０    ベース側軸固定体
４１    ベース側固定軸部
４２    軸孔部
４３    パネル側固定体
４４    パネル側固定孔部
４５    挿通固定部材
４６    挿通部
４７    ピン固定部
５１    軸孔固定凹部
５２    挿入嵌合固定凹部
５３    軸孔嵌合凸部
５４    挿入嵌合ピン
６０    ベース側軸固定体
６１    ベース側固定軸部
６２    パネル側固定体
６３    パネル側固定孔部
６４    円筒状挿通固定部材
６５    円筒状挿通部
６６    把持部
７１    軸側固定凹部
７２    孔側固定凹部
７３    間隙部
７４    外周側嵌合凸部
７５    内周側嵌合凸部
７６    押し出しレバー部
７７    押し出し用バネ部材
７８    押し出し部
７９    押し出し摺動孔部
８０    ベース側軸支部
８１    支軸
８２    パネル側軸支部
８３    支軸挿通孔
８４    ベース側軸固定体
８５    ベース側固定軸部
８６    パネル側固定体
８７    パネル側固定孔部
８８    蓋部
８９    挿通固定孔部
９０    嵌入突起部
９１    軸側固定凹部
９２    ヒンジ部
１００    ベース側軸固定体
１０１    締め付け部
１０１ａ    傾斜部
１０２    パネル側固定体
１０３    パネル側固定孔部
１０３ａ    雌螺子部
１０４    螺着固定部材
１０５    雄螺子部
１０６    縮径部
１０７    把持部
１０８    レバー部
１１０    ベース側偏心固定孔部
１１１    パネル側偏心固定孔部
１１２    挿通固定部材
１１３    挿通部
１１４    把持部
【図１】
2005184478.tif 000003
【図２】
2005184478.tif 000004
【図３】
2005184478.tif 000005
【図４】
2005184478.tif 000006
【図５】
2005184478.tif 000007
【図６】
2005184478.tif 000008
【図７】
2005184478.tif 000009
【図８】
2005184478.tif 000010
【図９】
2005184478.tif 000011
【図１０】
2005184478.tif 000012
【図１１】
2005184478.tif 000013
【図１２】
2005184478.tif 000014
【図１３】
2005184478.tif 000015
【図１４】
2005184478.tif 000016
【図１５】
2005184478.tif 000017
【図１６】
2005184478.tif 000018
【図１７】
2005184478.tif 000019